【事件の表示】
　特願２０１３−１８７６７１「遊技機」拒絶査定不服審判事件〔平成２７年　３月２３日出願公開、特開２０１５−　５３９９１〕について、次のとおり審決する。
【結　論】
　本件審判の請求は、成り立たない。
【理　由】
第１　手続の経緯  
　本願は、平成２５年９月１０日の出願であって、平成２８年３月７日付けで拒絶の理由が通知され、平成２８年５月１６日に意見書及び手続補正書が提出されたところ、平成２８年１０月３１日付けで拒絶査定がなされ、それに対して、平成２９年２月７日に拒絶査定不服審判の請求がなされると同時に明細書及び特許請求の範囲に係る手続補正がなされたものである。
　
第２　平成２９年２月７日付けの手続補正についての補正却下の決定  
［補正却下の決定の結論］  
　平成２９年２月７日付けの手続補正（以下「本件補正」という。）を却下する。
［理由］  
１　補正の内容
　本件補正は、特許請求の範囲を補正する内容を含んでおり、本件補正により、特許請求の範囲の請求項１は、
「【請求項１】
　所定の遊技を行う遊技機であって、
　遊技に関連する演出音を出力可能な演出音出力部と、
　遊技者が操作可能な操作部と、
　前記演出音出力部から出力される演出音の音量を、該遊技機が設置されている遊技店側が設定可能な第１設定手段と、
　前記演出音出力部から出力される演出音の音量を、前記操作部を操作することにより遊技者が設定可能な第２設定手段と、
　前記操作部の操作がなされたときに、該操作後に前記第２設定手段により設定される音量に対応する確認音を前記演出音出力部から出力するための処理を実行する確認音出力手段と、
　前記第２設定手段にて設定される音量を認識可能に表示する表示手段と、
　を備え、
　前記第２設定手段は、所定範囲内で音量の設定が可能であり、
　前記確認音出力手段は、前記第２設定手段により設定される音量が所定範囲の限界にある場合において、当該音量を所定範囲外へ変更するように前記操作部の操作がなされたときには前記処理を実行せず、
　前記表示手段は、前記第１設定手段により新たに音量が設定された場合には、当該新たに設定された音量にもとづき、前記第２設定手段にて設定される音量表示を行う
　ことを特徴とする遊技機。」
から、
「【請求項１】
Ａ　
可変表示を行う遊技が可能な
Ｂ　遊技に関連する演出音を出力可能な演出音出力部と、
Ｃ　遊技者が操作可能な操作部と、
Ｄ　
前記操作部が操作されることによって
の範囲
Ｅ　前記演出音出力部から出力される演出音の音量を、前記操作部を操作することにより遊技者が設定可能な第２設定手段と、
Ｆ　前記操作部の操作がなされたときに、該操作後に前記第２設定手段により設定される音量に対応する確認音を前記演出音出力部から出力するための処理を実行する確認音出力手段と、
Ｇ　前記第２設定手段にて設定される音量を認識可能に表示する表示手段と、
　を備え、
Ｈ　
前記操作部は、音量に関連する設定で使用され、予告を発生させることでは使用されず、
Ｉ　前記第２設定手段は、
前記第１設定手段により設定された設定
可変表示の実行中も
Ｊ　前記確認音出力手段は、前記第２設定手段により設定される音量が
設定
設定
Ｋ　前記表示手段は、前記第１設定手段により新たに音量
の設定範囲
の設定範囲
　ことを特徴とする遊技機。」
に補正された（下線は、補正箇所を明示するために審決にて付した。また、当審においてＡ〜Ｋに分説した。）。
　
２　補正の適否について
　上記補正は、補正前の請求項１に記載した発明を特定するために必要な事項である「遊技機」に関して、「可変表示を行う遊技が可能な」と限定し、「第１設定手段」に関して、「前記操作部が操作されることによって前記演出音出力部から出力される演出音の音量の範囲を、」と限定し、「操作部」に関して、「音量に関連する設定で使用され、予告を発生させることでは使用されず、」と限定し、「第２設定手段」に関して、「前記第１設定手段により設定された設定範囲内で可変表示の実行中も音量の設定が可能であり、」と限定するとともに、「確認音出力手段」に関して、「所定範囲」を「設定範囲」と限定し、「表示手段」に関して、「音量」を「音量の設定範囲」と限定するものであって、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
　そして、本件補正は、新規事項を追加するものではない。
３　独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
　
（１）刊行物１
　原査定の拒絶の理由に引用文献１として引用された特開２０１１−２００５１１号公報（以下「刊行物１」という。）には、図面とともに以下の事項が記載されている。
（１−ａ）「【技術分野】
【０００１】
　
本発明は、
遊技機に関する
【背景技術】
【０００２】
　遊技機から出力される出力音の音量を、遊技者が自身の好みに応じた音量に変更可能とされた遊技機がある（例えば、特許文献１〜３参照）。
　・・・
【発明が解決しようとする課題】
【０００４】
　しかしながら、これら特許文献１〜３の遊技機にあっては、遊技機からの出力音の音量を、遊技者が自身の好みに応じた音量に変更できることから、遊技者の利便性を高められるものの、これら遊技者による変更によって、遊技場が想定していない大きな音量や小さな音量に変更されてしまう虞れがあるという問題があった。
【０００５】
　本発明は、このような問題点に着目してなされたもので、遊技者の利便性を高めつつ、遊技場が想定していない音量の音が出力されてしまうことを防止することのできる遊技機を提供することを目的とする。」
（１−ｂ）「【００１８】
　遊技領域７の中央付近には、それぞれが演出用の飾り図柄を変動表示する複数の変動表示領域を含む変動表示装置（飾り図柄表示装置）９が設けられている。また、遊技盤６の所定箇所には、各々を識別可能な複数種類の識別情報としての
特別図柄を変動表示する特別図柄表示器（特別図柄表示装置）８（図３参照）が設けられている
　・・・
【００２８】
　遊技領域７の外側の左右上部には、
エラー音や演出用の効果音（演出音）を発する２つのスピーカ２７Ｌ，２７Ｒが設けられ
（１−ｃ）「【０１１０】
　本実施の形態における音量範囲設定部８３を図１１に示す。
音量範囲設定部８３には、図１１に示すように、３つの設定回転子８３ａ、８３ｂ、８３ｃが設けられている
【０１１１】
　設定回転子８３ｃは、遊技場の関係者（係員）が遊技者による音量の変更を許諾するか否かを設定する部分であり、該設定回転子８３ｃ回転させて外周突起部をＯＮの位置とすることで、音量変更ボタンスイッチ６１の操作が有効とされて、遊技者による音量変更が可能とされる一方、該設定回転子８３ｃ回転させて外周突起部をＯＦＦの位置とすることで、音量変更ボタンスイッチ６１の操作が無効とされて、遊技者による音量変更が不能とされる。
【０１１２】
　
設定回転子８３ａは、スピーカ２７Ｌ，２７Ｒ、２７ａ，２７ｂから出力される音の音量範囲と初期音量を、遊技場の関係者（係員）が設定する
（１−ｄ）「【０２８７】
　次に、演出制御基板８０における動作を説明する。演出制御基板８０では、電源基板から電源電圧の供給を受けると、演出制御用マイクロコンピュータ８１が起動し、
ＣＰＵ８６が図２２のフローチャートに示すような演出制御メイン処理を実行する
　・・・
【０２９１】
　コマンド解析処理を実行した後には、飾り図柄プロセス処理を実行する（ステップＳａ５７）。この飾り図柄プロセス処理では、変動表示装置９の表示画面にて行われる飾り図柄の可変表示の進行状況並びに操作レバー６００の操作に応じて、変動表示装置９の表示出力、スピーカ２７Ｌ，２７Ｒ、２７ａ，２７ｂからの音声出力、各種ＬＥＤの点灯動作などにより各種の演出動作を実行するための設定が行われる。そして、演出側乱数値更新処理が実行されることにより（ステップＳａ５８）、演出制御基板８０の側にて乱数回路（図示略）等によりカウントされる各種の乱数値が更新される。さらに、異常の発生等を変動表示装置９等の演出装置における表示やスピーカ２７Ｌ，２７Ｒ、２７ａ，２７ｂからのエラー音の出力により報知を行う報知制御処理（ステップＳａ５９）や、音量変更ボタンスイッチ６１の操作に応じて
スピーカ２７Ｌ，２７Ｒ、２７ａ，２７ｂやイアホン端子装着部６２からの出力音量を遊技者が変更する図１２に示す音量変更処理（ステップＳａ６０）を実行
（１−ｅ）「【０４００】
　Ｓｈ３のステップにおいては、
飾り図柄プロセスフラグの値が“０”であるか、つまり、変動表示装置９において可変表示や大当り等の演出表示等が実施されていない状態であるか否かを判定する。
飾り図柄プロセスフラグの値が“０”である場合にはＳｈ４のステップに進む。
　・・・
【０４０６】
　一方、イアホン端子装着部６２にイアホンが装着されていない場合には、Ｓｈ９のステップに進み、音量範囲設定部８３の設定回転子８３ａにて設定されている上限音量と下限音量、並びにＲＡＭ８５の所定領域に格納されている現在において設定されているスピーカ音量（これらスピーカ音量が格納されていないときには、音量範囲設定部８３の設定回転子８３ａにて設定されている初期音量）を特定し、該特定した
上限音量と下限音量と、設定されているスピーカ音量とが表示された図１３（ｂ）に示すスピーカ音量設定画面を変動表示装置９に表示する
【０４０７】
　Ｓｈ１１のステップにおいては、座標特定用ＤＳＰ２６６に対してレバー操作許諾指示を出力して、該座標特定用ＤＳＰ２６６から、操作レバー６００の操作による座標データの出力を開始させ、操作レバー６００の操作を有効とする。
【０４０８】
　そして、Ｓｈ１２のステップとＳｈ１３のステップとを巡回実施することで、レバー操作があったか（Ｘ座標の変更があったか）、設定終了条件が成立したか否かを判定する。
【０４０９】
　Ｓｈ１２のステップにおいて、Ｘ座標の変更により
レバー操作があったと判定された場合には、Ｓｈ１６のステップに進んで、該Ｘ座標の変更に対応する新たな音量が、上下限音量の範囲内であるか否かを判定する。
【０４１０】
　該判定において、
上下限音量の範囲内である場合にはＳｈ１７のステップに進んで、操作方向（音量大方向または音量小方向）に所定レベルだけ設定音量表示（黒バー）を移動させる表示制御を実施するとともに、該移動後の音量による所定の調整音をスピーカ２７Ｌ，２７Ｒ、２７ａ，２７ｂ又はイアホン端子装着部６２から出力させる
【０４１１】
　尚、Ｓｈ１６のステップにおける判定において、
上下限音量の範囲内でない場合には、Ｓｈ１７、Ｓｈ１８のステップを実施することなく、
【０４１２】
　つまり、
遊技者は、
操作レバー６００を、音量を小さくしたい場合にはパチンコ機２に向かって左方向に操作し、音量を大きくしたい場合にはパチンコ機２に向かって右方向に操作すれば良く、これら操作に応じて出力される調整音の音量を確認して、所望の音量を選択すれば良い
（１−ｆ）「【０４３９】
　以上、本発明の実施例を図面により説明してきたが、本発明はこの実施例に限定されるものではなく、本発明の主旨を逸脱しない範囲における変更や追加があっても本発明に含まれることは言うまでもない。
【０４４０】
　例えば、前記実施例では、
音量変更処理を演出制御用マイクロコンピュータ８１が実行するようにしているが、本発明はこれに限定されるものではなく、これら音量変更処理を、例えば、座標特定用ＤＳＰ２６６が実施することで、演出等の実施中であっても、操作レバーの操作が演出において無効とされている場合には、音量の変更を可能とするようにしても良い。
【０４４１】
　また、
前記実施例では、これら遊技者による音量の変更を操作レバーの操作により実施するようにしており、このようにすることは、音量変更のための専用の操作部を個別に設ける必要がなく、遊技機のコスト上昇を回避できることから好ましいが、本発明はこれに限定されるものではなく、これら音量変更のための専用の操作部を、遊技機の前面側に、遊技者が操作可能に設けるようにしても良い
（１−ｇ）段落【００１８】には「特別図柄を変動表示する特別図柄表示器（特別図柄表示装置）８（図３参照）が設けられている」と記載され、【０００１】には、「本発明は」「遊技機に関する」と記載されているから、刊行物１には、
特別図柄を変動表示する特別図柄表示器８を設けた遊技機
（１−ｈ）段落【００２８】には「エラー音や演出用の効果音（演出音）を発する２つのスピーカ２７Ｌ，２７Ｒが設けられ」と記載されているから、刊行物１には、
エラー音や演出用の効果音を発するスピーカ
（１−ｉ）段落【０４１２】には「遊技者は、・・・操作レバー６００を、音量を小さくしたい場合にはパチンコ機２に向かって左方向に操作し、音量を大きくしたい場合にはパチンコ機２に向かって右方向に操作すれば良く、」と記載されているから、刊行物１には、
遊技者が操作する操作レバー６００
（１−ｊ）段落【０４０９】には「レバー操作があったと判定された場合には、Ｓｈ１６のステップに進んで、該Ｘ座標の変更に対応する新たな音量が、上下限音量の範囲内であるか否かを判定する。」と記載され、段落【０４１０】には「上下限音量の範囲内である場合にはＳｈ１７のステップに進んで、操作方向（音量大方向または音量小方向）に所定レベルだけ設定音量表示（黒バー）を移動させる表示制御を実施するとともに、該移動後の音量による所定の調整音をスピーカ２７Ｌ，２７Ｒ、２７ａ，２７ｂ又はイアホン端子装着部６２から出力させる」と記載され、段落【０１１０】には「音量範囲設定部８３には、図１１に示すように、３つの設定回転子８３ａ、８３ｂ、８３ｃが設けられている」と記載され、段落【０１１２】には、「設定回転子８３ａは、スピーカ２７Ｌ，２７Ｒ、２７ａ，２７ｂから出力される音の音量範囲と初期音量を、遊技場の関係者（係員）が設定する部分であり、・・・遊技者が変更可能な音量の下限音量・・・遊技者が変更可能な音量の上限音量・・・をそれぞれ、個別に設定できる」と記載されているから、刊行物１には、
操作レバー６００の操作により遊技者が変更可能なスピーカから出力される音の上限音量及び下限音量を遊技場の関係者が設定する音量範囲設定部８３
（１−ｋ）上記（１−ｉ）で検討したとおり段落【０４１２】には、操作レバー６００の操作に応じて遊技者が音量を変更する旨記載されており、段落【０２８７】には「ＣＰＵ８６が図２２のフローチャートに示すような演出制御メイン処理を実行する」と記載され、段落【０２９１】には、演出制御メイン処理のステップＳａ６０で「スピーカ」「からの出力音量を遊技者が変更する」音量変更処理を行うとの記載があるから、刊行物１には、
前記スピーカからの出力音量を、操作レバー６００の操作に応じて遊技者が変更する音量変更処理を実行するＣＰＵ８６
（１−ｌ）段落【０４１１】には「上下限音量の範囲内でない場合には、Ｓｈ１７、Ｓｈ１８のステップを実施することなく」と記載されており、このＳｈ１７、Ｓｈ１８のステップとは、図１２にも示すとおり、音量変更処理の一部であるから、上記（１−ｋ）で検討したとおり、ＣＰＵ８６が実施するものである。さらに、上記（１−ｊ）で検討した段落【０４０９】、【０４１０】のＳｈ１６、Ｓｈ１７についての記載を踏まえると、刊行物１には、
操作レバー６００の操作があったときに、新たな音量が音量範囲設定部８３により設定された上下限音量の範囲内である場合には、所定レベルだけ設定音量表示を移動させる表示制御を実施するとともに、該移動後の音量による所定の調整音をスピーカから出力させる制御を行い、新たな音量が上下限音量の範囲内でない場合には、これらの制御を実施しないＣＰＵ８６
（１−ｍ）段落【０４０６】には「上限音量と下限音量と、設定されているスピーカ音量とが表示された図１３（ｂ）に示すスピーカ音量設定画面を変動表示装置９に表示する」と記載されているから、刊行物１には、
スピーカ音量を表示する変動表示装置９
（１−ｎ）段落【０４１２】には「操作レバー６００を、・・・これら操作に応じて出力される調整音の音量を確認して、所望の音量を選択すれば良い」と記載されているから、刊行物１には、
操作レバー６００は、音量の選択で使用されるものであ
（１−ｏ）上記（１−ｌ）で検討したとおり、ＣＰＵ８６は、音量範囲設定部８３により設定された上下限音量の範囲内で音量の変更が可能であり、段落【０４００】には「飾り図柄プロセスフラグの値が“０”であるか、つまり、変動表示装置９において可変表示や大当り等の演出表示等が実施されていない状態であるか否かを判定する。・・・飾り図柄プロセスフラグの値が“０”である場合にはＳｈ４のステップに進む」と記載されているから、刊行物１には、
ＣＰＵ８６は、音量範囲設定部８３により設定された上下限音量の範囲内で、可変表示等が実施されていない状態であるときに音量の変更が可能であ
（１−ｐ）上記（１−ｊ）で検討したとおり、音量範囲設定部８３で上限音量及び下限音量が設定され、上記（１−ｌ）で検討したとおり、設定された上下限音量の範囲内で音量変更処理を行い、上記（１−ｍ）で検討したとおり、変動表示装置９は、スピーカ音量を表示し、上記（１−ｋ）で検討したとおり、ＣＰＵ８６は音量変更処理を実行するから、刊行物１には、
変動表示装置９は、音量範囲設定部８３にて上限音量と下限音量とが設定された場合に、設定された上下限音量の範囲内でＣＰＵ８６で変更される音量表示を行う
　上記（１−ａ）〜（１−ｆ）の記載事項及び（１−ｇ）〜（１−ｐ）の認定事項を総合すると、刊行物１には、次の発明が記載されていると認められる（以下「刊行物１発明」という。）。
「ａ　特別図柄を変動表示する特別図柄表示器８を設けた遊技機であって、
ｂ　エラー音や演出用の効果音を発するスピーカと、
ｃ　遊技者が操作する操作レバー６００と、
ｄ　操作レバー６００の操作により遊技者が変更可能なスピーカから出力される音の上限音量及び下限音量を遊技場の関係者が設定する音量範囲設定部８３と、
ｅ　前記スピーカからの出力音量を、操作レバー６００の操作に応じて遊技者が変更する音量変更処理を実行するＣＰＵ８６と、
ｆ、ｊ　操作レバー６００の操作があったときに、新たな音量が音量範囲設定部８３により設定された上下限音量の範囲内である場合には、所定レベルだけ設定音量表示を移動させる表示制御を実施するとともに、該移動後の音量による所定の調整音をスピーカから出力させる制御を行い、新たな音量が上下限音量の範囲内でない場合には、これらの制御を実施しないＣＰＵ８６と、
ｇ　スピーカ音量を表示する変動表示装置９と、を備え、
ｈ’　操作レバー６００は、音量の選択で使用されるものであり、
ｉ’　ＣＰＵ８６は、音量範囲設定部８３により設定された上下限音量の範囲内で、可変表示等が実施されていない状態であるときに音量の変更が可能であり、
ｋ　変動表示装置９は、音量範囲設定部８３にて上限音量と下限音量とが設定された場合に、設定された上下限音量の範囲内でＣＰＵ８６で変更される音量表示を行う遊技機。」
（２）刊行物２
　原査定において周知技術を示す文献として引用された特開２００５−２８８０２０号公報（以下「刊行物２」という。）には、図面とともに以下の事項が記載されている。
「【００８９】
　図１０に示すように、
図柄の変動表示が行われ（Ａ、Ｂ）
【００９０】
　
図１０Ａ、Ｂでは画面の右上に「音量調整可能期間」と表示されているとおり、特定の変動パターンであっても、この時点ではまだ音量調整が可能である。
（３）対比
　本願補正発明と刊行物１発明とを対比する（下記の（ａ）〜（ｋ）は、刊行物１発明の構成に対応している。）。
（ａ）刊行物１発明の「特別図柄が変動表示する」ことは、「可変表示を行う遊技が可能」であることを意味するものである。
　よって、刊行物１発明の「特別図柄を変動表示する特別図柄表示器８を設けた遊技機」は、本願補正発明の「可変表示を行う遊技が可能な遊技機」に相当する。
（ｂ）刊行物１発明の「演出用の効果音」は、本願補正発明の「遊技に関連する演出音」に相当する。
　よって、刊行物１発明の「エラー音や演出用の効果音を発するスピーカ」は、本願補正発明の「遊技に関連する演出音を出力可能な演出音出力部」に相当する。
（ｃ）刊行物１発明の「遊技者が操作する操作レバー６００」は、本願補正発明の「遊技者が操作可能な操作部」に相当する。
（ｄ）刊行物１発明の「操作レバー６００の操作により遊技者が変更可能なスピーカから出力される音の上限音量及び下限音量」は、本願補正発明の「操作部が操作されることによって演出音出力部から出力される演出音の音量の範囲」に相当する。
　また、刊行物１発明の「遊技場」には遊技機が設置されていることは自明であるから、刊行物１発明の「遊技場の関係者が設定する」ことは、本願補正発明の「遊技機が設置されている遊技店側が設定可能な」ことに相当する。
　よって、刊行物１発明の「操作レバー６００の操作により遊技者が変更可能なスピーカから出力される音の上限音量及び下限音量を遊技場の関係者が設定する音量範囲設定部８３」は、本願補正発明の「操作部が操作されることによって演出音出力部から出力される演出音の音量の範囲を、該遊技機が設置されている遊技店側が設定可能な第１設定手段」に相当する。
（ｅ）刊行物１発明の「スピーカからの出力音量」は、本願補正発明の「演出音出力部から出力される演出音の音量」に相当する。
　また、刊行物１発明の「操作レバー６００の操作に応じて遊技者が変更する音量変更処理を実行する」点は、本願補正発明の「操作部を操作することにより遊技者が設定可能な」点に相当する。
　よって、刊行物１発明の「スピーカからの出力音量を、操作レバー６００の操作に応じて遊技者が変更する音量変更処理を実行するＣＰＵ８６」は、本願補正発明の「演出音出力部から出力される演出音の音量を、操作部を操作することにより遊技者が設定可能な第２設定手段」に相当する。
（ｆ、ｊ）刊行物１発明の「調整音」は、本願補正発明の「確認音」に相当する。また、刊行物１発明において「操作レバーの操作があったとき」の「新たな音量」は、上記（ｅ）で検討したとおり、「ＣＰＵ８６」（第２設定手段）により設定される音量であることは明らかである。
　よって、刊行物１発明の「操作レバー６００の操作があったときに、新たな音量が音量範囲設定部８３により設定された上下限音量の範囲内である場合には、所定レベルだけ設定音量表示を移動させる表示制御を実施するとともに、該移動後の音量による所定の調整音をスピーカから出力させる制御を行」う「ＣＰＵ８６」は、本願補正発明の「操作部の操作がなされたときに、該操作後に第２設定手段により設定される音量に対応する確認音を演出音出力部から出力するための処理を実行する確認音出力手段」を含むものである。
　また、刊行物１発明の「新たな音量が上下限音量の範囲内でない場合」は、設定される音量が設定範囲の限界にある場合であることは自明な事項であるから、本願補正発明の「設定される音量が設定範囲の限界にある場合において、当該音量を設定範囲外へ変更するように操作部の操作がなされたとき」に相当する。
　よって、刊行物１発明の「新たな音量が上下限音量の範囲内でない場合には、これらの制御を実施しないＣＰＵ８６」は、本願補正発明の「第２設定手段により設定される音量が設定範囲の限界にある場合において、当該音量を設定範囲外へ変更するように操作部の操作がなされたときには前記処理を実行」しない「確認音出力手段」に相当する。
（ｇ）刊行物１発明においてスピーカ音量を変更するのは、上記（ｅ）で検討したとおり、「ＣＰＵ８６」（第２設定手段）であり、刊行物１発明の「変更」は、本願補正発明の「設定」に相当する。
　よって、刊行物１発明の「スピーカ音量を表示する変動表示装置９」は、本願補正発明の「第２設定手段にて設定される音量を認識可能に表示する表示手段」に相当する。
（ｈ’）刊行物１発明の「操作レバー６００は、音量の選択で使用される」点は、本願補正発明の「操作部は、音量に関連する設定で使用され」る点に相当する。
　よって、刊行物１発明の「操作レバー６００は、音量の選択で使用されるものであ」る点と、本願補正発明の「操作部は、音量に関連する設定で使用され、予告を発生させることでは使用され」ない点とは、「操作部は、音量に関連する設定で使用され」る点で共通する。
（ｉ’）刊行物１発明の「ＣＰＵ８６は、音量範囲設定部８３により設定された上下限音量の範囲内で」「音量の選択が可能であ」る点は、本願補正発明の「第２設定手段は、第１設定手段により設定された設定範囲内で」「音量の設定が可能であ」る点に相当する。
　よって、刊行物１発明の「ＣＰＵ８６は、音量範囲設定部８３により設定された上下限音量の範囲内で、可変表示等が実施されていない状態であるときに音量の選択が可能であ」る点と、本願補正発明の「第２設定手段は、第１設定手段により設定された設定範囲内で可変表示の実行中も音量の設定が可能であ」る点とは、「第２設定手段は、第１設定手段により設定された設定範囲内で音量の設定が可能であ」る点で共通する。
（ｋ）刊行物１発明の「変動表示装置９は、音量範囲設定部８３にて上限音量と下限音量とが設定された場合」とは、新たに設定されることも含まれるから、本願補正発明の「表示手段は、第１設定手段により新たに音量の設定範囲が設定された場合」に相当する。
　また、刊行物１発明の「ＣＰＵ８６で変更される音量表示を行う」点は、本願補正発明の「２設定手段にて設定される音量表示を行う」に相当する。
　よって、刊行物１発明の「変動表示装置９は、音量範囲設定部８３にて上限音量と下限音量とが設定された場合に、設定された上下限音量の範囲内でＣＰＵ８６で変更される音量表示を行う」点は、本願補正発明の「表示手段は、第１設定手段により新たに音量の設定範囲が設定された場合には、当該新たに設定された音量の設定範囲にもとづき、第２設定手段にて設定される音量表示を行う」点に相当する。
　したがって、本願補正発明と刊行物１発明とは、
「Ａ　可変表示を行う遊技が可能な遊技機であって、
Ｂ　遊技に関連する演出音を出力可能な演出音出力部と、
Ｃ　遊技者が操作可能な操作部と、
Ｄ　前記操作部が操作されることによって前記演出音出力部から出力される演出音の音量の範囲を、該遊技機が設置されている遊技店側が設定可能な第１設定手段と、
Ｅ　前記演出音出力部から出力される演出音の音量を、前記操作部を操作することにより遊技者が設定可能な第２設定手段と、
Ｆ　前記操作部の操作がなされたときに、該操作後に前記第２設定手段により設定される音量に対応する確認音を前記演出音出力部から出力するための処理を実行する確認音出力手段と、
Ｇ　前記第２設定手段にて設定される音量を認識可能に表示する表示手段と、
　を備え、
Ｈ’　前記操作部は、音量に関連する設定で使用され、
Ｉ’　前記第２設定手段は、前記第１設定手段により設定された設定範囲内で音量の設定が可能であり、
Ｊ　前記確認音出力手段は、前記第２設定手段により設定される音量が設定範囲の限界にある場合において、当該音量を設定範囲外へ変更するように前記操作部の操作がなされたときには前記処理を実行せず、
Ｋ　前記表示手段は、前記第１設定手段により新たに音量の設定範囲が設定された場合には、当該新たに設定された音量の設定範囲にもとづき、前記第２設定手段にて設定される音量表示を行う遊技機。」
である点で一致し、以下の点で相違する。
［相違点１］
　第２設定手段の音量の設定に関して、本願補正発明は、「可変表示の実行中も」可能であるのに対して、刊行物１発明は、「可変表示等が実施されていない状態であるときに」可能である点。
［相違点２］
　操作部に関して、本願補正発明は、「予告を発生させることでは使用され」ないのに対し、刊行物１発明は、そのように特定されていない点。
（４）判断
ア　上記相違点１について検討する。
　刊行物２の段落【００８９】、【００９０】、図１０には、図柄の変動表示中に遊技者が操作ボタンを操作することで音量を調整可能な遊技機が記載されている（以下「刊行物２記載の事項」という。）。
　刊行物１発明、刊行物２記載の事項は、いずれも音量調節が可能な操作部を有する遊技機である点で共通するものである。また、刊行物１の段落【０４４０】には、「音量変更処理を演出制御用マイクロコンピュータ８１が実行するようにしているが、本発明はこれに限定されるものではなく、これら音量変更処理を、例えば、座標特定用ＤＳＰ２６６が実施することで、
演出等の実施中であっても
音量の変更を可能とするようにしても良い
　よって、上記刊行物１に記載された示唆を勘案すれば、刊行物１発明に刊行物２記載の事項を適用し、ＣＰＵ８６（第２設定手段）が可変表示の実行中も音量の選択が可能となるように構成し、上記相違点１に係る本願補正発明の構成とすることは、当業者が容易になし得たことである。
イ　上記相違点２について検討する。
　刊行物１の段落【０４４１】には「前記実施例では、これら遊技者による音量の変更を操作レバーの操作により実施するようにしており、このようにすることは、音量変更のための専用の操作部を個別に設ける必要がなく、遊技機のコスト上昇を回避できることから好ましいが、本発明はこれに限定されるものではなく、
これら音量変更のための専用の操作部を
　そして、音量変更のための専用の操作部とは、他に演出に関連した操作等には使用しないこと、すなわち、予告を発生させることでは使用されないことを意味するといえる。
　よって、上記刊行物１記載の事項に基づけば、刊行物１発明の「操作レバー６００」に代えて、音量変更のための専用の操作部を設け、予告を発生させることでは使用されないように構成し、上記相違点２に係る本願補正発明の構成とすることは、当業者が容易になし得たことである。
ウ　本願補正発明が奏する効果について
　上記相違点によって本願補正発明が奏する効果は、当業者が刊行物１発明、刊行物１記載の事項及び刊行物２記載の事項から予測し得る程度のものであって、格別のものではない。　
エ　請求人の主張について
　請求人は、審判請求書において「引用文献１では、可変表示中には、音量調整ができない構成になっています。このため、引用文献１においては、可変表示中の音量調整について何ら記載も示唆もない上に、操作レバー６００と異なる操作部により操作して可変表示中の音量調整を行うような開示は何らされていないものと思料致します。 
　さらに、引用文献１には、上述したように、可変表示中の音量調整ができないことからも、音量を設定範囲外へ変更するように操作部の操作がなされたときに確認音を出力しないようにすることや、設定された音量の表示手段による表示が、可変表示の実行中も可能になるということにはなり得ません。」と主張する（第１０頁第２８行〜第１１頁第７行）。 
　確かに、刊行物１には、可変表示等が実施されていない状態であるときに音量の変更が可能である旨記載されているから（段落【０４００】）、可変表示中は、音量調整ができない構成となっているといえる。
　しかしながら、上記（５）アにおいて検討したとおり、刊行物１には、可変表示中においても音量変更処理をするように構成することを示唆する記載があり、刊行物２には、図柄の変動表示中に遊技者が操作ボタンを操作することで音量を調整可能な遊技機が記載されているから、刊行物１発明の遊技機を可変表示の実行中も音量の選択が可能となるように構成することは、当業者が容易になし得たことである。
　そして、そのように構成することにより、音量を設定範囲外へ変更するように操作部の操作がなされたときに確認音を出力しないようにすることや、設定された音量の表示手段による表示が、可変表示の実行中も可能になることは明らかである。
　よって、請求人の上記主張は採用できない。
（５）まとめ
　以上のように、本願補正発明は、当業者が刊行物１発明、刊行物１記載の事項及び刊行物２記載の事項に基づいて容易に発明をすることができたものであるから、特許法第２９条第２項の規定により、特許出願の際独立して特許を受けることができない。
　
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１、２に係る発明は、平成２８年５月１６日付け手続補正書により補正された特許請求の範囲の請求項１、２に記載されたとおりのものであるところ、請求項１に係る発明（以下「本願発明」という。当審において、Ａ〜Ｋに分説した。）は、次のとおりである。
「【請求項１】
Ａ　所定の遊技を行う遊技機であって、
Ｂ　遊技に関連する演出音を出力可能な演出音出力部と、
Ｃ　遊技者が操作可能な操作部と、
Ｄ　前記演出音出力部から出力される演出音の音量を、該遊技機が設置されている遊技店側が設定可能な第１設定手段と、
Ｅ　前記演出音出力部から出力される演出音の音量を、前記操作部を操作することにより遊技者が設定可能な第２設定手段と、
Ｆ　前記操作部の操作がなされたときに、該操作後に前記第２設定手段により設定される音量に対応する確認音を前記演出音出力部から出力するための処理を実行する確認音出力手段と、
Ｇ　前記第２設定手段にて設定される音量を認識可能に表示する表示手段と、
　を備え、
Ｉ　前記第２設定手段は、所定範囲内で音量の設定が可能であり、
Ｊ　前記確認音出力手段は、前記第２設定手段により設定される音量が所定範囲の限界にある場合において、当該音量を所定範囲外へ変更するように前記操作部の操作がなされたときには前記処理を実行せず、
Ｋ　前記表示手段は、前記第１設定手段により新たに音量が設定された場合には、当該新たに設定された音量にもとづき、前記第２設定手段にて設定される音量表示を行う
　ことを特徴とする遊技機。」
２　刊行物  
　刊行物１及びその記載事項、並びに刊行物１発明は、上記「第２　３（１）」に記載したとおりである。  
  
３　対比・判断  
　本願発明は、本願補正発明を特定するために必要な事項である「遊技機」に関して、「可変表示を行う遊技が可能な」という限定を省き、「第１設定手段」に関して、「前記操作部が操作されることによって前記演出音出力部から出力される演出音の音量の範囲を、」「設定可能な」との限定を省き、「操作部」に関して、「音量に関連する設定で使用され、予告を発生させることでは使用されず、」との限定を省き、「第２設定手段」に関して、「前記第１設定手段により設定された設定範囲内で可変表示の実行中も音量の設定が可能であり、」との限定を省くともに、「確認音出力手段」に関して、「設定範囲」の限定を「所定範囲」の記載に戻し、「表示手段」に関して、「音量の設定範囲」の限定を「音量」の記載に戻すものである。
　本願発明と刊行物１発明とを対比する。刊行物１発明の構成ａ〜ｇ、ｊ、ｋについては「第２　３（３）」で検討したとおりである。
　そして、構成ｉについて、刊行物１発明の「ＣＰＵ８６」は、本願発明の「第２設定手段」に相当する。また。刊行物１発明のＣＰＵ８６において、音量範囲設定部８３により設定された上下限音量の範囲内で、音量の変更が可能であるから、所定範囲内で音量の設定が可能であるといえる。
　よって、刊行物１発明の「ＣＰＵ８６は、音量範囲設定部８３により設定された上下限音量の範囲内で、可変表示等が実施されていない状態であるときに音量の変更が可能であ」ることは、本願発明の「前記第２設定手段は、所定範囲内で音量の設定が可能であ」ることに相当する。
　したがって、本願発明と刊行物１発明とは、全ての構成において一致し、相違点はない。そして、仮に相違点があったとしても、当業者が容易になし得たものである。
４　むすび  
　以上のとおりであるから、本願発明は、特許法第２９条第１項第３号又は特許法第２９条第２項の規定により特許を受けることができない。  
　したがって、その余の請求項について検討するまでもなく、本願は、拒絶されるべきものである。  
　よって、結論のとおり審決する。